(57)【要約】【課題】１つの回路で、電源の電圧状態が動作可能な電源電圧であるか否かを常に監視する機能と、仕向け先がどこであるかを判定する機能とを併せ持つことが可能な仕向け判定回路、仕向け動作制御装置及び仕向け判定方法を提供する。【解決手段】仕向け判定回路１０は、電源に並列に接続した３つの抵抗Ｒ１，Ｒ２，Ｒ３と、この抵抗Ｒ１，Ｒ２，Ｒ３によって分圧された電圧を入力する２つのアナログ入力端子（アナログＩＮ１、アナログＩＮ２）と、アナログ入力端子（アナログＩＮ１、アナログＩＮ２）から入力された２つの信号の電圧値に基づいて、電源電圧及び仕向け先を判定する判定部１５により構成されている。【選択図】図１
2008293473.tif 000002
【特許請求の範囲】
【請求項１】
仕向け先に基づいて異なる動作を実行させるための仕向け判定回路であって、
電源に並列に接続された３個の抵抗の直列体と、
前記直列体によって分圧された２つの異なる電圧を入力する２つのアナログ入力端子と、
前記アナログ入力端子のどちらか一方の第１アナログ入力端子から入力された信号の第１電圧値に基づいて前記電源の電圧を監視し、前記第１アナログ入力端子とは異なる第２アナログ入力端子から入力された信号の第２電圧値と前記第１電圧値とに基づいて、前記仕向け先を判定する判定手段と、
を備え、
前記直列体は、前記仕向け先毎に抵抗値の異なる前記抵抗が組み合わされた構成となっていることを特徴とする仕向け判定回路。
【請求項２】
前記判定手段は、前記第１電圧値と所定の基準電圧値とを比較し、比較した結果に基づいて、前記電源の電圧状態を判定することを特徴とする請求項２に記載の仕向け判定回路。
【請求項３】
前記判定手段は、前記第１電圧値に基づいて前記第２電圧値を補正し、補正した前記第２電圧値に基づいて前記仕向け先を判定することを特徴とする請求項１または２に記載の仕向け判定回路。
【請求項４】
仕向け先に基づいて異なる動作を実行させるための仕向け判定回路であって、
電源に並列に接続された２個の抵抗の直列体と、
前記直列体によって分圧された電圧を入力する１つのアナログ入力端子と、
前記アナログ入力端子から入力された信号の電圧値に基づいて、前記仕向け先を判定し、判定した前記仕向け先に基づいて予め設定されている動作可能最低電源電圧に対応した閾値と、前記アナログ入力端子から入力された信号の前記電圧値とを比較して、前記電源の電圧状態を判定する判定手段と、
を備え、
前記直列体は、前記仕向け先毎に抵抗値の異なる前記抵抗が組み合わされた構成となっていることを特徴とする仕向け判定回路。
【請求項５】
請求項１から４のいずれか１項に記載の仕向け判定回路と、
前記仕向け判定回路により判定された仕向け先に基づいて、仕向け先毎の動作制御を実行する制御部と、
を備えていることを特徴とする仕向け動作制御装置。
【請求項６】
仕向け先に基づいて異なる動作を実行させるための仕向け判定方法であって、
（ａ）電源に並列に接続された、３個の前記仕向け先毎に抵抗値の異なる抵抗の直列体によって分圧された２つの異なる電圧を２つのアナログ入力端子を介して入力する入力工程と、
（ｂ）前記入力工程（ａ）によって入力された、２つの異なる電圧のどちらか一方の電圧値である第１電圧値に基づいて、前記電源の電圧を監視する電源電圧監視工程と、
（ｃ）前記入力工程（ａ）によって入力された前記第１電圧値と前記第１電圧値とは異なる第２電圧値とに基づいて、前記仕向け先を判定する仕向け先判定工程と、
を備えていることを特徴とする仕向け判定方法。
【請求項７】
前記電源電圧監視工程（ｂ）は、前記第１電圧値と所定の基準電圧値とを比較し、比較した結果に基づいて、前記電源の電圧状態を判定することを特徴とする請求項６に記載の仕向け判定方法。
【請求項８】
前記仕向け先判定工程（ｃ）は、前記第１電圧値に基づいて前記第２電圧値を補正し、補正した前記第２電圧値に基づいて前記仕向け先を判定することを特徴とする請求項６または７に記載の仕向け判定方法。
【請求項９】
仕向け先に基づいて異なる動作を実行させるための仕向け判定方法であって、
（ａ）電源に並列に接続された、２個の前記仕向け先毎に抵抗値の異なる抵抗の直列体によって分圧された電圧を、アナログ入力端子を介して入力する入力工程と、
（ｂ）前記入力工程（ａ）によって入力された電圧値に基づいて、前記仕向け先を判定する仕向け先判定工程と、
（ｃ）前記入力工程（ａ）によって入力された前記電圧値と、前記仕向け先に基づいて予め設定されている動作可能最低電源電圧に対応した閾値とを比較して、前記電源の電圧状態を判定する電源電圧監視工程と、
を備えていることを特徴とする仕向け判定方法。
【発明の詳細な説明】
【技術分野】
【０００１】
本発明は、仕向け判定回路、仕向け動作制御装置及び仕向け判定方法に関する。特に、１つの回路で、電源の電圧状態が動作可能な電源電圧であるか否かを常に監視する機能と、仕向け先がどこであるかを判定する機能とを併せ持つことが可能な仕向け判定回路、仕向け動作制御装置及び仕向け判定方法に関する。
【背景技術】
【０００２】
仕向け先（国や地域等）により制御仕様が異なることから、仕向け先を考慮したに制御装置を開発製造することが必要であった。また、制御対象が十分な出力を行える電源電圧でない場合、制御対象の動作が不安定になる場合があるため、電源電圧を監視する必要がある。そのため、電源の電圧状態が動作可能な電源電圧であるか否かを常に監視する電源電圧監視回路や、仕向け先がどこであるかを判定する仕向け先判定回路が提案されている。
【０００３】
電源電圧監視回路として、特許文献１では、電源電圧を複数の段階に分圧し、各分圧を各基準電圧と比較することで、電源電圧低下を段階的に判別し、報知する機能を備えることにより、使用者に電源電圧低下を段階的に認知させることが可能なリモートコントロール装置が提案されている。
【０００４】
また、図６は、電源電圧監視回路と仕向け先判定回路とを備えた従来の回路図の一例を示した図である。図６に示すように、電源電圧監視回路９０は、電源に並列に接続した２つの抵抗Ｒ９１，Ｒ９２と、この抵抗Ｒ９１，Ｒ９２によって分圧された電圧を入力する１つのアナログ入力端子（アナログＩＮ１）と、アナログ入力端子（アナログＩＮ１）から入力された信号の電圧値に基づいて、電源の電圧を判定する電圧判定部９１により構成されている。ここで、電圧判定部９１は、ＣＰＵ（Ｃｅｎｔｒａｌ  Ｐｒｏｃｅｓｓｉｎｇ  Ｕｎｉｔ）内部の機能である。
【０００５】
また、仕向け先判定回路９５は、３つの異なる抵抗Ｒ９３，Ｒ９４，Ｒ９５と、抵抗Ｒ９３，Ｒ９４，Ｒ９５を介してプルダウンされた３つのデジタル入力端子（デジタルＩＮ１，デジタルＩＮ２，デジタルＩＮ３）と、デジタル入力端子（デジタルＩＮ１，デジタルＩＮ２，デジタルＩＮ３）から入力された信号に基づいて、仕向け先を判定する仕向け先判定部９６により構成されている。ここで、仕向け先判定部９６も、ＣＰＵ内部の機能である。
【特許文献１】特開平５−２２７７２号公報
【発明の開示】
【発明が解決しようとする課題】
【０００６】
しかしながら、図６に示したように、電源電圧監視回路９０と仕向け先判定回路９５とが別の回路であるとき、仕向け先判定回路９５の抵抗Ｒ９３，Ｒ９４，Ｒ９５のいずれかがオープン故障等をした場合に、仕向け先を誤って判定してしまうという問題があった。さらに、デジタル値でしか仕向け先を判定することができなかった。
【０００７】
また、電源電圧監視回路９０と仕向け先判定回路９５とを別々の回路で行うため、それぞれの回路に使用する部品や入力ポートが多く、コストが高くなってしまうという問題点もあった。
【０００８】
本発明は、以上のような問題点を解決するためになされたもので、１つの回路で、電源の電圧状態が動作可能な電源電圧であるか否かを常に監視する機能と、仕向け先がどこであるかを判定する機能とを併せ持つことが可能な仕向け判定回路、仕向け動作制御装置及び仕向け判定方法を提供することを目的とする。
【課題を解決するための手段】
【０００９】
上述した従来の問題点を解決すべく下記の発明を提供する。
本発明の第１の態様にかかる仕向け判定回路は、仕向け先に基づいて異なる動作を実行させるための仕向け判定回路であって、電源に並列に接続された３個の抵抗の直列体と、前記直列体によって分圧された２つの異なる電圧を入力する２つのアナログ入力端子と、前記アナログ入力端子のどちらか一方の第１アナログ入力端子から入力された信号の第１電圧値に基づいて前記電源の電圧を監視し、前記第１アナログ入力端子とは異なる第２アナログ入力端子から入力された信号の第２電圧値と前記第１電圧値とに基づいて、前記仕向け先を判定する判定手段と、を備え、前記直列体は、前記仕向け先毎に抵抗値の異なる前記抵抗が組み合わされた構成となっていることを特徴とする。
【００１０】
これにより、回路に使用する部品や入力ポートを削減することができる。従って、部品購入費の削減、部品実装費の削減、部品管理費の削減を図ることができる。また、回路を小型化することができる。
【００１１】
また、仕向け先判定機能に使用する抵抗がオープン故障等をした場合に、仕向け先を誤って判定してしまうというエラーの発生を取り除くことができる。
【００１２】
また、分圧抵抗を、仕向け先毎に、見た目の色（例えば、部品メーカーを仕向け先により変えたりする）で判別できるようにすることも可能である。
【００１３】
本発明の第２の態様にかかる仕向け判定回路は、本発明の第１の態様にかかる仕向け判定回路の前記判定手段は、前記第１電圧値と所定の基準電圧値とを比較し、比較した結果に基づいて、前記電源の電圧状態を判定することを特徴とする。
【００１４】
これにより、ＣＰＵの動作可能な最低電源電圧を判定し、最低電源電圧以下の場合は、動作を禁止するような制御を実行することができる。
【００１５】
本発明の第３の態様にかかる仕向け判定回路は、本発明の第１または２の態様にかかる仕向け判定回路の前記判定手段は、前記第１電圧値に基づいて前記第２電圧値を補正し、補正した前記第２電圧値に基づいて前記仕向け先を判定することを特徴とする。
【００１６】
これにより、仕向け先毎に異なる動作制御を実行するＣＰＵを使用する必要がない。即ち、仕向け先が異なっていても、同じＣＰＵを使用して、仕向け先に対応した動作制御を実行させるようにすることができる。ここで、第１電圧に基づいた第２電圧の補正とは、電源電圧の変動により変動する第２電圧値（仕向け先を判定する電圧）を、第１電圧値に基づいて、安定した値にする処理である。
【００１７】
本発明の第４の態様にかかる仕向け判定回路は、仕向け先に基づいて異なる動作を実行させるための仕向け判定回路であって、電源に並列に接続された２個の抵抗の直列体と、前記直列体によって分圧された電圧を入力する１つのアナログ入力端子と、前記アナログ入力端子から入力された信号の電圧値に基づいて、前記仕向け先を判定し、判定した前記仕向け先に基づいて予め設定されている動作可能最低電源電圧に対応した閾値と、前記アナログ入力端子から入力された信号の前記電圧値とを比較して、前記電源の電圧状態を判定する判定手段と、を備え、前記直列体は、前記仕向け先毎に抵抗値の異なる前記抵抗が組み合わされた構成となっていることを特徴とする。ここでは、仕向け先が２つである場合に有効である。
【００１８】
これにより、回路に使用する部品や入力ポートを削減することができる。従って、部品購入費の削減、部品実装費の削減、部品管理費の削減を図ることができる。また、回路を小型化することができる。
【００１９】
また、仕向け先判定機能に使用する抵抗がオープン故障等をした場合に、仕向け先を誤って判定してしまうというエラーの発生を取り除くことができる。
【００２０】
また、分圧抵抗を、仕向け先毎に、見た目の色（例えば、部品メーカーを仕向け先により変えたりする）で判別できるようにすることも可能である。
【００２１】
また、仕向け先毎に異なる動作制御を実行するＣＰＵを使用する必要がない。即ち、仕向け先が異なっていても、同じＣＰＵを使用して、仕向け先に対応した動作制御を実行させるようにすることができる。
【００２２】
本発明の第１の態様にかかる仕向け動作制御装置は、本発明の第１から４のいずれか１つの態様にかかる仕向け判定回路と、前記仕向け判定回路により判定された仕向け先に基づいて、仕向け先毎の動作制御を実行する制御部と、を備えていることを特徴とする。
【００２３】
これにより、上述した本発明の第１から４のいずれか１つの態様にかかる仕向け判定回路と同等の効果が得られる。
【００２４】
本発明の第１の態様にかかる仕向け判定方法は、仕向け先に基づいて異なる動作を実行させるための仕向け判定方法であって、（ａ）電源に並列に接続された、３個の前記仕向け先毎に抵抗値の異なる抵抗の直列体によって分圧された２つの異なる電圧を２つのアナログ入力端子を介して入力する入力工程と、（ｂ）前記入力工程（ａ）によって入力された、２つの異なる電圧のどちらか一方の電圧値である第１電圧値に基づいて、前記電源の電圧を監視する電源電圧監視工程と、（ｃ）前記入力工程（ａ）によって入力された前記第１電圧値と前記第１電圧値とは異なる第２電圧値とに基づいて、前記仕向け先を判定する仕向け先判定工程と、を備えていることを特徴とする。
【００２５】
これにより、上述した本発明の第１の態様にかかる仕向け判定回路と同等の効果が得られる。
【００２６】
本発明の第２の態様にかかる仕向け判定方法は、本発明の第１の態様にかかる仕向け判定方法の前記電源電圧監視工程（ｂ）は、前記第１電圧値と所定の基準電圧値とを比較し、比較した結果に基づいて、前記電源の電圧状態を判定することを特徴とする。
【００２７】
これにより、上述した本発明の第２の態様にかかる仕向け判定回路と同等の効果が得られる。
【００２８】
本発明の第３の態様にかかる仕向け判定方法は、本発明の第１または２の態様にかかる仕向け判定方法の前記仕向け先判定工程（ｃ）は、前記第１電圧値に基づいて前記第２電圧値を補正し、補正した前記第２電圧値に基づいて前記仕向け先を判定することを特徴とする。
【００２９】
これにより、上述した本発明の第３の態様にかかる仕向け判定回路と同等の効果が得られる。
【００３０】
本発明の第４の態様にかかる仕向け判定方法は、仕向け先に基づいて異なる動作を実行させるための仕向け判定方法であって、（ａ）電源に並列に接続された、２個の前記仕向け先毎に抵抗値の異なる抵抗の直列体によって分圧された電圧を、アナログ入力端子を介して入力する入力工程と、（ｂ）前記入力工程（ａ）によって入力された電圧値に基づいて、前記仕向け先を判定する仕向け先判定工程と、（ｃ）前記入力工程（ａ）によって入力された前記電圧値と、前記仕向け先に基づいて予め設定されている動作可能最低電源電圧に対応した閾値とを比較して、前記電源の電圧状態を判定する電源電圧監視工程と、を備えていることを特徴とする。
【００３１】
これにより、上述した本発明の第４の態様にかかる仕向け判定回路と同等の効果が得られる。
【発明の効果】
【００３２】
本発明によれば、回路に使用する部品や入力ポートを削減することができる。従って、部品購入費の削減、部品実装費の削減、部品管理費の削減を図ることができる。また、回路を小型化することができる。
【００３３】
また、仕向け先判定機能に使用する抵抗がオープン故障等をした場合に、仕向け先を誤って判定してしまうというエラーの発生を取り除くことができる。
【００３４】
また、分圧抵抗を、仕向け先毎に、見た目の色（例えば、部品メーカーを仕向け先により変えたりする）で判別できるようにすることも可能である。
【００３５】
また、仕向け先毎に異なる動作制御を実行するＣＰＵを使用する必要がない。即ち、仕向け先が異なっていても、同じＣＰＵを使用して、仕向け先に対応した動作制御を実行させるようにすることができる。
【００３６】
また、ＣＰＵの動作可能な最低電源電圧を判定し、最低電源電圧以下の場合は、動作を禁止するような制御を実行することができる。
【発明を実施するための最良の形態】
【００３７】
この発明の一実施形態を、図面を参照しながら説明する。なお、以下に説明する実施形態は説明のためのものであり、本発明の範囲を制限するものではない。従って、当業者であればこれらの各要素もしくは全要素をこれと同等なもので置換した実施形態を採用することが可能であるが、これらの実施形態も本発明の範囲に含まれる。
【００３８】
図１は、本発明を適用可能な仕向け判定回路１０の一例を示す図である。図１に示すように、仕向け判定回路１０は、電源に並列に接続した３つの抵抗Ｒ１，Ｒ２，Ｒ３と、この抵抗Ｒ１，Ｒ２，Ｒ３によって分圧された電圧を入力する２つのアナログ入力端子（アナログＩＮ１、アナログＩＮ２）と、アナログ入力端子（アナログＩＮ１、アナログＩＮ２）から入力された２つの信号の電圧値に基づいて、電源電圧及び仕向け先を判定する判定部１５により構成されている。
【００３９】
３つの抵抗Ｒ１，Ｒ２，Ｒ３は、直列に接続され、仕向け先毎に、抵抗値が異なる組合せにより構成される。
【００４０】
また、判定部１５は、ＣＰＵ１００に搭載された機能であり、アナログＩＮ１から入力された信号による電圧Ｖ１に基づいて電源の電圧状態を監視する（電源電圧監視機能）とともに、アナログＩＮ２から入力された信号による電圧Ｖ２と電圧Ｖ１とに基づいて仕向け先を判定する（仕向け先判定機能）。
【００４１】
このとき、仕向け先毎に３つの抵抗Ｒ１，Ｒ２，Ｒ３の抵抗値が異なるように組み合わせ、さらに、電圧Ｖ１が仕向け先に依存しないようにする。たとえば、抵抗Ｒ１の抵抗値は同一とし、抵抗Ｒ２と抵抗Ｒ３の抵抗値の合計を一定としつつ、抵抗Ｒ２と抵抗Ｒ３の抵抗値を仕向け先毎に変える。あるいは、（Ｒ２＋Ｒ３）／（Ｒ１＋Ｒ２＋Ｒ３）の値を仕向け先に限らず一定としつつ、抵抗Ｒ２の抵抗値及び抵抗Ｒ３の抵抗値を仕向け先毎に変える。
【００４２】
これにより、電圧Ｖ２と電圧Ｖ１の比が仕向け先毎に固有の一定な値に保たれるため、仕向け先を判定することができる。
【００４３】
電源電圧監視機能は、電圧Ｖ１と所定の基準電圧とを比較して、比較した結果に基づいて電源の電圧状態を判定する機能であり、判定した結果を仕向け先判定に用いるだけでなく、他の制御に用いることもできる。たとえば、電圧の増減によって、一部の電気機器の使用を許可したり禁止したりする制御を指示することもできる。
【００４４】
また、仕向け先判定機能は、電圧Ｖ１に基づいて電圧Ｖ２を補正した電圧Ｖ２´を生成し、生成した電圧Ｖ２´に基づいて仕向け先を判定する。判定された結果は、仕向け先毎に異なる動作制御を実行する動作制御部（図示せず）に渡され、制御が実行される。
【００４５】
ここで、電圧Ｖ１に基づいた電圧Ｖ２の補正とは、電源電圧の変動により変動する電圧Ｖ２を、電圧Ｖ１に基づいて、安定した電圧Ｖ２´に変換する処理である。例えば、電圧Ｖ１が８Ｖであるとき、電圧Ｖ２´＝Ｖ２×１．０とし、電圧Ｖ１が６Ｖであるとき、電圧Ｖ２´＝Ｖ２×（８．０／６．０）とする。
【００４６】
次に、判定部１５を備えたＣＰＵ１００において実行される電源電圧監視及び仕向け先判定処理の処理手順を説明する。図２は、判定部１５を備えたＣＰＵ１００において実行される電源電圧監視及び仕向け先判定処理の処理手順の一例を示すフローチャート図である。
【００４７】
図２に示すように、まず、アナログＩＮ１及びアナログＩＮ２を介して、電圧Ｖ１及び電圧Ｖ２を取得する（Ｓ１０１）。次に、電圧Ｖ１と所定の基準電圧とを比較し（Ｓ１０３）、ＣＰＵ１００の動作可能な最低電源電圧に対応した電圧ＶＬ以上であるか否かを判定する（Ｓ１０５）。
【００４８】
電圧Ｖ１が電圧ＶＬ以上である場合（Ｓ１０５；Ｙｅｓ）は、ステップＳ１０９へ移行する。一方、電圧Ｖ１が電圧ＶＬ未満である場合（Ｓ１０５；Ｎｏ）は、ＣＰＵの動作を禁止する制御が実行される（Ｓ１０７）。
【００４９】
次に、電圧Ｖ１に基づいて、電圧Ｖ２を補正した電圧Ｖ２´を生成し（Ｓ１０９）、生成した電圧Ｖ２´に基づいて仕向け先を判定する（Ｓ１１１）。最後に、判定された仕向け先結果に基づいて、仕向け先毎に異なる動作制御が実行される（Ｓ１１３）。ここで、判定部１５による処理は、ステップＳ１０７及びステップＳ１１３を除いたステップである。
【００５０】
上述の実施の形態の仕向け判定回路１０において、判定部１５は、本発明の請求項１から３のいずれか１項に記載の仕向け判定回路の判定手段、及び、本発明の請求項６から８のいずれか１項に記載の仕向け判定方法の電源電圧監視工程並びに仕向け先判定工程に対応する。
【００５１】
また、上述の本実施形態では、電圧Ｖ２に基づいて仕向け先判定を行い、かつ、電圧Ｖ１に基づいて電源電圧監視するようにしているが、電圧Ｖ１に基づいて仕向け先判定を行い、かつ、電圧Ｖ２に基づいて電源電圧監視することも可能である。すなわち、上述の手順について、Ｖ１とＶ２を入れかえて電圧監視及び仕向け先判定することも可能である。
【００５２】
この場合、電圧Ｖ２が仕向け先に依存しないようにする。たとえば、抵抗Ｒ３の抵抗値は同一とし、抵抗Ｒ１と抵抗Ｒ２の抵抗値の合計を一定としつつ、抵抗Ｒ１と抵抗Ｒ２の抵抗値を変える。あるいは、（Ｒ１＋Ｒ２）／（Ｒ１＋Ｒ２＋Ｒ３）の値を一定としつつ、抵抗Ｒ１の抵抗値及び抵抗Ｒ２の抵抗値を変える。これにより、仕向け先毎に電圧Ｖ１が異なるので、仕向け先を判定することができる。
【００５３】
また、電圧Ｖ２に基づいて仕向け先判定を行う場合、Ｒ３／（Ｒ２＋Ｒ３）の値を仕向け先毎に一定、かつ、（Ｒ２＋Ｒ３）／（Ｒ１＋Ｒ２＋Ｒ３）の値を仕向け先毎に一定とすることで、電圧Ｖ２と電圧Ｖ１の比を仕向け先毎に固有の一定な値に保つようにして、電圧Ｖ２と電圧Ｖ１の比に基づいて仕向け先を判定するようにしても良い。
【００５４】
この場合、電源電圧監視において、Ｖ１の値を仕向け先毎に補正する。具体的には、実際の電源電圧に対して一定の比率、（Ｒ２＋Ｒ３）／（Ｒ１＋Ｒ２＋Ｒ３）倍の値がＶ１に入力されるため、電源電圧を検出することができる。
【００５５】
次に、本発明を適用可能な別の仕向け判定回路の一例を示す。図３は、本発明を適用可能な別の仕向け判定回路２０の一例を示す図である。
【００５６】
図３に示すように、仕向け判定回路２０は、電源に並列に接続した２つの抵抗Ｒ１，Ｒ２と、この抵抗Ｒ１，Ｒ２によって分圧された電圧を入力する１つのアナログ入力端子（アナログＩＮ１）と、アナログ入力端子（アナログＩＮ１）から入力された信号の電圧値に基づいて、電源電圧及び仕向け先を判定する判定部２５により構成されている。ここでは、仕向け先は２つである。
【００５７】
２つの抵抗Ｒ１，Ｒ２は、直列に接続され、仕向け先毎に、抵抗値が異なる組合せにより構成される。
【００５８】
また、判定部２５は、ＣＰＵ１００の搭載された機能であり、アナログＩＮ１から入力された信号による電圧Ｖ１に基づいて、仕向け先を判定し（仕向け先判定機能）、判定した仕向け先に基づいて予め設定されている動作可能最低電源電圧に対応した閾値と、電圧Ｖ１とを比較して、電源の電圧状態を判定する（電源電圧監視機能）。
【００５９】
次に、判定部２５の電源電圧監視機能について説明する。
図４は、動作可能最低電源電圧に対応した閾値を説明するための図である。縦軸は、アナログＩＮ１から入力された信号による電圧Ｖ１を示し、横軸は、ＣＰＵ１００の動作可能な監視対象電圧Ｖを示している。
【００６０】
図４に示すように、仕向け先１用の抵抗を使用した場合、電圧Ｖ１と監視対象電圧Ｖとは、直線３１により対応付けられ、仕向け先２用の抵抗を使用した場合、電圧Ｖ１と監視対象電圧Ｖとは、直線３２により対応付けられる。
【００６１】
このとき、仕向け先毎に設定する監視対象電圧Ｖの範囲内において、仕向け先１用電圧範囲と、仕向け先２用電圧範囲が重複しないように抵抗Ｒ１及び抵抗Ｒ２を設定する。
【００６２】
たとえば、監視対象電圧Ｖが６〜１６Ｖとすると、図４におけるＶＳ１０がＶＳ２１よりも、大きくなるように抵抗Ｒ１及び抵抗Ｒ２を設定する。
【００６３】
従って、監視対象電圧ＶがＣＰＵ動作可能最低電源電圧（約６Ｖ）以上となる電圧Ｖ１の電圧範囲（閾値）を、仕向け先毎に設定することにより、監視対象電圧Ｖを、即ち、電源の電圧状態を判定する。例えば、電圧Ｖ１の電圧範囲（閾値）を、仕向け先１の場合と仕向け先２の場合とにおいて、仕向け先１用電圧範囲（ＶＳ１０〜ＶＳ１１）と仕向け先２用電圧範囲（ＶＳ２０〜ＶＳ２１）とで切り替えることにより設定することにより、電源の電圧状態を判定することができる。
【００６４】
次に、判定部２５を備えたＣＰＵ１００において実行される電源電圧監視及び仕向け先判定処理の処理手順を説明する。図５は、判定部２５を備えたＣＰＵ１００において実行される電源電圧監視及び仕向け先判定処理の処理手順の一例を示すフローチャート図である。
【００６５】
図５に示すように、まず、アナログＩＮ１を介して、電圧Ｖ１を取得する（Ｓ２０１）。次に、電圧Ｖ１に基づいて、仕向け先を判定する（Ｓ２０３）。ここでは、仕向け先が２つであることから、電圧Ｖ１から仕向け先を判定することができる。
【００６６】
次に、判定した仕向け先に基づいて、予め設定されている動作可能最低電源電圧に対応した閾値と、電圧Ｖ１とを比較し（Ｓ２０５）、ＣＰＵ１００の動作可能な最低電源電圧に対応した閾値の範囲以内であるか否かを判定する（Ｓ２０７）。
【００６７】
電圧Ｖ１が閾値の範囲以内である場合（Ｓ２０７；Ｙｅｓ）は、判定された仕向け先に基づいて、仕向け先毎に異なる動作制御が実行される（Ｓ２０９）。一方、電圧Ｖ１が閾値の範囲以外である場合（Ｓ２０７；Ｎｏ）は、ＣＰＵの動作を禁止する制御が実行される（Ｓ２１１）。ここで、判定部２５による処理は、ステップＳ２０９及びステップＳ２１１を除いたステップである。
【００６８】
上述の実施の形態の仕向け判定回路２０において、判定部２５は、本発明の請求項４に記載の仕向け判定回路の判定手段、及び、本発明の請求項９に記載の仕向け判定方法の電源電圧監視工程並びに仕向け先判定工程に対応する。
【００６９】
また、上述した仕向け判定回路１０及び２０のように、１つの回路にて、電源電圧監視機能と仕向け先判定機能とを持たせることにより、回路に使用する部品や入力ポートを削減することができる。従って、部品購入費の削減、部品実装費の削減、部品管理費の削減を図ることができる。また、回路を小型化することができる。
【００７０】
また、図３において、抵抗Ｒ１がオープン故障等をした場合に、仕向け先判定において電圧がＶ＝０になるため、明らかに故障であると判定することができる。これによって、仕向け先を誤って判定してしまうというエラーの発生を取り除くことができる。
【００７１】
また、上述した仕向け判定回路１０及び２０に、仕向け判定回路１０及び２０により判定された仕向け先に基づいて、仕向け先毎の動作制御を実行する制御部を備えた仕向け動作制御装置においても、仕向け判定回路１０及び２０と同様の効果が得られる。
【図面の簡単な説明】
【００７２】
【図１】本発明を適用可能な仕向け判定回路１０の一例を示す図である。
【図２】判定部１５を備えたＣＰＵ１００において実行される電源電圧監視及び仕向け先判定処理の処理手順の一例を示すフローチャート図である。
【図３】本発明を適用可能な別の仕向け判定回路２０の一例を示す図である。
【図４】動作可能最低電源電圧に対応した閾値を説明するための図である。
【図５】判定部２５を備えたＣＰＵ１００において実行される電源電圧監視及び仕向け先判定処理の処理手順の一例を示すフローチャート図である。
【図６】電源電圧監視回路と仕向け先判定回路とを備えた従来の回路図の一例を示した図である。
【符号の説明】
【００７３】
１０    仕向け判定回路
１５    判定部
２０    仕向け判定回路
２５    判定部
１００    ＣＰＵ
【図１】
2008293473.tif 000003
【図２】
2008293473.tif 000004
【図３】
2008293473.tif 000005
【図４】
2008293473.tif 000006
【図５】
2008293473.tif 000007
【図６】
2008293473.tif 000008